(57)【要約】【課題】ねじ螺合の際に被固定物の裏面側から固定する必要の無いナットを有するねじ止め構造を提供する。【解決手段】  雄ねじ部を有するねじ２と、ねじ２に挿通され被固定物９の表面に圧接されるスプリングワッシャ３と、可撓性を有するとともに長さの異なる第一係止爪６及び第二係止爪８を上方に向けて拡開するように備えるナット４と、からなるねじ止め構造１であって、長さ寸法が長く形成されたほうの第一係止爪６はナット４の被固定物９に対する回転を防止し、第二係止爪８は被固定物９を裏面から支持してスプリングワッシャ３とで被固定物９を固定することを特徴とする。【選択図】図１
2006170412.tif 000002
【特許請求の範囲】
【請求項１】
雄ねじ部を有するねじと、
被固定物の裏面側に位置し前記ねじの雄ねじ部が螺合される雌ねじ部が形成されたナットと、
を備えてなるねじ止め構造であって、
前記ナットは、
前記被固定物の表面側に位置し前記ナットが前記被固定物に対して回転するのを防止するための可撓性を有する第一係止爪と、
前記第一係止爪より長さ寸法が短く形成され前記被固定物の裏面に接して前記ねじの頭部とで前記被固定物を固定する可撓性を有する第二係止爪と、
を備えていることを特徴とするねじ止め構造。
【請求項２】
前記ナットは前記雌ねじ部が形成された基台を備えており、前記基台の上面に前記第一係止爪及び前記第二係止爪を備えていることを特徴とする請求項１に記載のねじ止め構造。
【請求項３】
前記ナットは前記雌ねじ部が形成された基台を備えており、前記基台の上面には前記第一係止爪が備えられるとともに前記基台の側面には前記第二係止爪としての切欠き部が形成されていることを特徴とする請求項１に記載のねじ止め構造。
【発明の詳細な説明】
【技術分野】
【０００１】
本発明は、ねじ止め構造に関する。
【背景技術】
【０００２】
従来より、ねじ止め構造は雄ねじ部を有するねじとこれに螺合する雌ねじ部を有するナットとからなり、被固定物の孔部にねじを挿通してから、ナットを裏面側からねじに螺合させて被固定物を固定していた。また、ねじの螺合の際には、裏面側のナットが回転しないように固定する必要があり、被固定物は裏面側から操作ができるものに限られていた。さらに、ねじとナットを一旦分離してから被固定物を固定するので、ねじ又はナットを紛失する虞があるという問題があった。
【０００３】
そこで、特許文献１に記載のねじ止め構造は、従来から用いられているねじと、先端にテーパ面を有しナットを取り付ける前にねじの雄ねじ部に挿通される筒と、前記テーパ面に対向する舌片を傾動自在に有するナットと、からなる。このような構成のねじ止め構造においては、ナットがねじに螺合されるに伴って、前記舌片は筒のテーパ面に圧接されて傾動し、被固定物の孔部の内壁に食い込む。このように、舌片が孔部に食い込んで、ナットは被固定物に固定される。従って、常にナットを被固定物の裏面側から固定することなく、ねじをナットに螺合させることができる。また、ナットは孔部と略同じ径に形成することで、ねじの先端にナットを螺合させたままねじ止め構造を孔部に挿通させて被固定物を固定することができる。
【０００４】
また、特許文献２及び特許文献３に示すように、ナットとして半径方向外側に折れ曲がり拡開する拡開アンカを用いるものも知られている。拡開アンカはねじの螺合に応じて折曲し、その折曲部分により被固定物を裏面側から支持し、拡開アンカのフランジ部とで被固定物を挟持するようになっている。このような構成のねじ止め構造にすることで、拡開アンカとねじとを一体に組み立てたまま固定することができるとともに、被固定物をその厚さや素材に関わらず固定することができる。
【特許文献１】特開２０００−１２０６３７号公報
【特許文献２】実開平４−１０１００５号公報
【特許文献３】実登３０７６３９０号公報
【発明の開示】
【発明が解決しようとする課題】
【０００５】
しかしながら、特許文献１に記載のねじ止め構造においては、孔部が筒と基台とを足した長さ以上でなければならず、そのため、被固定物が所定以上の厚みを有していなければならなかった。また、孔部の内壁にナットの舌片を食い込ませるので、孔部の素材が限定されていた。また、特許文献２に記載のねじ止め構造においては、ねじ螺合の際に拡開アンカが回転しないように固定する必要があり、被固定物の裏面側から拡開アンカを固定したり、拡開アンカを複雑な構成にする必要があった。
【０００６】
そこで、本発明はより簡易な構成でねじ螺合の際に被固定物の裏面側から固定する必要のないナットを有するねじ止め構造を提供することを目的とするものである。
【課題を解決するための手段】
【０００７】
前記課題を解決するために、請求項１に記載の発明は、
雄ねじ部を有するねじと、
被固定物の裏面側に位置し前記ねじの雄ねじ部が螺合される雌ねじ部が形成されたナットと、
を備えてなるねじ止め構造であって、
前記ナットは、
前記被固定物の表面側に位置し前記ナットが前記被固定物に対して回転するのを防止するための可撓性を有する第一係止爪と、
前記第一係止爪より長さ寸法が短く形成され前記被固定物の裏面に接して前記ねじの頭部とで前記被固定物を固定する可撓性を有する第二係止爪と、
を備えていることを特徴とする。
【０００８】
請求項２に記載の発明は、請求項１に記載のねじ止め構造において、
前記ナットは前記雌ねじ部が形成された基台を備えており、前記基台の上面に前記第一係止爪及び前記第二係止爪を備えていることを特徴とする。
【０００９】
請求項３に記載の発明は、請求項１に記載のねじ止め構造において、
前記ナットは前記雌ねじ部が形成された基台を備えており、前記基台の上面には前記第一係止爪が備えられるとともに前記基台の側面には前記第二係止爪としての切欠き部が形成されていることを特徴とする。
【発明の効果】
【００１０】
本発明によれば、ねじ螺合の際ナットを裏側から固定せずに被固定物に係止させることができるので、被固定物の裏面側から操作することなく被固定物を固定することができる。
【発明を実施するための最良の形態】
【００１１】
以下に、本実施形態におけるねじ止め構造１について、図面を参照して説明する。ただし、発明の範囲を図示例に限定するものではない。
【００１２】
図１は本実施形態のねじ止め構造１の斜視図である。ねじ止め構造１は、雄ねじ部を有するねじ２と、ねじ２に挿通され被固定物９の表面に圧接される座金としてのスプリングワッシャ３と、ねじ２に螺合するナット４と、からなる。本実施形態において、ねじ２は従来よりねじ止め構造に用いられている公知のものである。前記座金についても公知のものが適用可能であり、環状のワッシャなどを用いるものとしてもよい。
【００１３】
ナット４は、略円筒形状の基台５を備えている。基台５の内壁には、ねじ２の雄ねじ部に螺合する雌ねじ部（図示省略）が形成されている。また、基台５の上面の外周の略同一直径上には、二つの第一係止爪６が上方に向けて拡開するように備えられている。第一係止爪６の上端部には外側に折曲されたフランジ部７が形成されている。基台５の上面の外周上であって二つの第一係止爪６の間には、第一係止爪６よりも長さ寸法が短くなるように形成された第二係止爪８が、上方に向けて拡開するように一つずつ備えられている。ここで、第一係止爪６及び第二係止爪８は可撓性を有しており、上方に向けて拡開する方向に撓むようになっている。
【００１４】
ナット４は後述する被固定物９の孔部の表面側から裏面側に挿通されて、基台５及び第二係止爪８は前記孔部を貫通し、第一係止爪６は前記孔部に係止してナット４が被固定物９に対して回転するのを防止するようになっている。
【００１５】
本実施形態における被固定物９は二枚の板状部材からなり、図１の上から順に第一板状部材１０及び第二板状部材１１を備えている。
第一板状部材１０には、ナット４が挿通され、フランジ部７及びスプリングワッシャ３が表面に係止する第一孔部１０ａが設けられている。第一孔部１０ａの径は、基台５の外径と略同等になるように形成されている。第一孔部１０ａの直径方向に対向する位置には、直径方向に延在する切欠き部１０ｂ、１０ｂがそれぞれ形成されている。
第二板状部材１１には、その径が基台５の外径と略同等になるように形成された第二孔部１１ａが設けられている。
【００１６】
次に、ねじ止め構造１による被固定物９の固定方法について説明する。
【００１７】
はじめに、ねじ２にスプリングワッシャ３を挿通させてから、ねじ２の先端にナット４の雌ねじ部を螺合させて、ねじ止め構造１を一体に組み立てる。
【００１８】
続いて、図２に示すように、第一板状部材１０の第一孔部１０ａ及び第二板状部材１１の第二孔部１１ａに、ねじ止め構造１をナット４から挿通させる。ここで、ナット４の第一係止爪６及び第二係止爪８は上方に向けて拡開しているが、可撓性を有しているので、ナット４の中心軸側に押圧されながら第一孔部１０ａ及び第二孔部１１ａに挿通される。そして、ナット４の基台５及び第二係止爪８は第一孔部１０ａ及び第二孔部１１ａを貫通し、第二係止爪８は第二板状部材１１の裏面側に貫通されてから再び撓んで拡開する（図３参照）。
【００１９】
さらにねじ止め構造１を被固定物９に挿通すると、第一係止爪６のフランジ部７が第一板状部材１０の切欠き部１０ｂに係合して、ナット４は第一孔部１０ａに係止され、ナット４が被固定物９の裏面側に貫通することが防止される。また、第一係止爪６は上方に向かって拡開する方向に撓むので、切欠き部１０ｂに係止される。そして、ナット４が被固定物９に対して回転することを防止することができる。
【００２０】
ねじ止め構造１が被固定物９に挿通されてから、ねじ２をナット４にさらに螺合させる。この際、第一係止爪６は切欠き部１０ｂに係止されているので、ナット４がねじ２とともに回転して空回りすることはない。このようにしてねじ２を螺合させると、図４に示すように、ねじ２の頭部はスプリングワッシャ３を介して第一板状部材１０及び第一係止爪６に当接する。同時に、基台５はねじ２の頭部に向かって移動するので、第二係止爪８は第二板状部材１１の裏面に当接する。
【００２１】
さらにねじ２の螺合を進めると、ねじ２の頭部はスプリングワッシャ３を介して第一係止爪６を押圧する。同時に第二係止爪８は第二板状部材１１を裏面側から支持して、スプリングワッシャ３を介してねじ２の頭部とで被固定物９を挟持する。このようにして、被固定物９はねじ止め構造１により固定される。
【００２２】
本実施形態におけるねじ止め構造１によれば、ねじ止め構造１を被固定物９に挿通するだけで、ナット４は被固定物９の孔部に係止される。従って、操作者はねじ２の螺合の際にナット４を固定する必要が無く、容易にねじ２を螺合させて被固定物９を固定させることができる。また、ナット４は被固定物９の表面側から挿通して被固定物９に取り付けるので、被固定物９の裏面側からナット４を取り付ける必要が無い。従って、被固定物９の裏面側から操作をする必要が一切無く、被固定物９は裏面から操作ができるものに限られない。さらに、あらかじめねじ止め構造１を一体にしてから被固定物９に取り付けるので、ねじ止め構造１はねじ２とナット４とを取り外すことが無く、部品の紛失を防止することができる。
【００２３】
またさらに、第一係止爪６及び第二係止爪８は可撓性を有しているので、被固定物９の厚さは、第一係止爪６の長さ寸法と第二係止爪８の長さ寸法との差の範囲内であればよい。
ここで、被固定物９の厚さが前記範囲よりも大きい場合、図５に示すように、第二係止爪８が被固定物９の裏面側に貫通せず、被固定物９を裏面側から支持することができないのでねじ止め構造１は被固定物９から容易に外れてしまう。
【００２４】
そこで、被固定物９の厚さに応じてナット４の第二係止爪８の取り付け位置を変えることとしてもよい。例えば、図６のナット４は、基台５の側面に縦の長さ寸法がｈの矩形状の切込みが形成されており、この切込み部１２は上方に向けて拡開されている。切込み部１２は第二係止爪８と同様の作用を奏しており、被固定物９の裏面側に貫通されて被固定物９を支持するようになっている。このような切込み部１２を設けて高さｈの第二係止爪８とすることにより、第一係止爪６の長さ寸法と第二係止爪８の長さ寸法のとの差が広がり、被固定物９の厚さに関わらずねじ止め構造１により固定することができる。
【図面の簡単な説明】
【００２５】
【図１】本実施形態におけるねじ止め構造の分解斜視図である。
【図２】本実施形態におけるねじ止め構造による固定方法を示す縦断面図である。
【図３】本実施形態におけるねじ止め構造による固定方法を示す斜視図である。
【図４】本実施形態におけるねじ止め構造の縦断面図である。
【図５】被固定物が所定の厚さ以上の場合を示す縦断面図である。
【図６】他の実施形態におけるナットの斜視図である。
【符号の説明】
【００２６】
１     ねじ止め構造
２     ねじ
３     スプリングワッシャ
４     ナット
５     基台
６     第一係止爪
８     第二係止爪
９     被固定物
１０   第一板状部材
１０ａ 第一孔部
１１   第二板状部材
１１ａ 第二孔部
【図１】
2006170412.tif 000003
【図２】
2006170412.tif 000004
【図３】
2006170412.tif 000005
【図４】
2006170412.tif 000006
【図５】
2006170412.tif 000007
【図６】
2006170412.tif 000008